(57)【要約】【目的】簡単に容器飲み口を開封することができかつ不要な破断部分の無い良好な飲み口断面を得ることができる開封装置およびその包装容器を提供することを目的とする。【構成】プルタブで覆われかつ内側フィルムで保護された飲み口を頂壁に有する飲料容器用の開封装置であって、容器の開封時に、頂壁の外縁と飲み口の一縁との間に設けられるリップを有し、飲み口の縁を囲むように頂壁に固定される固定部と、ヒンジと、ヒンジを中心にして固定部に対して回動自在に配設され、貫通口が形成されたカバーと、からなり、カバーは、容器の開封時に、回動に伴って飲み口内に進入し、飲み口を覆うプルタブ及び内側フィルムを破断させるカッタ部を備えることを特徴とする。【選択図】　　　　図１
2004026181.tif 000002
【特許請求の範囲】
【請求項１】
プルタブで覆われかつ内側フィルムで保護された飲み口を頂壁に有する飲料容器用の開封装置であって、
該容器の開封時に、該頂壁の外縁と該飲み口の一縁との間に設けられるリップを有し、
該飲み口の縁を部分的若しくは全体的に囲むように該頂壁に固定される固定部と
ヒンジと、
該ヒンジを中心にして前記固定部に対して回動自在に配設され、貫通口が形成されたカバーと、
からなり、該カバーは、該容器の開封時に、回動に伴って該飲み口内に進入し、該飲み口を覆うプルタブ及び該内側フィルムを破断させるカッタ部を備えることを特徴とする開封装置。
【請求項２】
プルタブで覆われかつ内側フィルムで保護された飲み口及び開封装置を頂壁に有する飲料容器であって、
該開封装置が、該容器の開封時に、該頂壁の外縁と該飲み口の一縁との間に設けられるリップを有し、
該飲み口の縁を部分的若しくは全体的に囲むように該頂壁に固定される固定部と
ヒンジと、
該ヒンジを中心にして前記固定部に対して回動自在に配設され、貫通口が形成されたカバーと、
からなり、該カバーは、該容器の開封時に、回動に伴って該飲み口内に進入し、該飲み口を覆うプルタブ及び該内側フィルムを破断させるカッタ部を備えることを特徴とする包装容器。
【発明の詳細な説明】
【０００１】
【発明の属する技術分野】
本発明は、飲料容器頂壁に設けられプルタブで覆われた飲み口を開封する開封装置および包装容器に関する。
【０００２】
【従来の技術】
飲料容器頂壁にリップが設けられ、飲み口を覆うプルタブを開封する包装容器は、例えば、国際公開　ＷＯ　００／４８９１４号公報に記載されたものが知られている。その容器の構造では、飲料容器の頂壁に設けられたリップ、飲み口を覆うプルタブが構成されている。
開封装置を頂壁に設けた飲料用容器は、例えば、特開２００１ー０１９０１８号公報に記載されたものが知られている。図４に、その容器４の構造が示されており、飲み口２の縁を囲むように頂壁に固定される固定部７とヒンジと、ヒンジを中心にして固定部に対して回動自在に配設され、貫通口９が形成された注ぎ口５とからなり、注ぎ口（５、１４）は、容器の開封時に、回動に伴って飲み口２内に進入し、飲み口を覆うプルタブ１を破断させる。
【０００３】
【発明が解決しようとする課題】
その飲料容器頂壁に設けられプルタブで覆われかつ内側フィルムで保護された飲み口を開封する開封装置およびその包装容器においては、易しい開封性能、綺麗な開封断面が要求されている。また、使用時に飲用を補助するリップが確実に安定的にかつ衛生的に提供されることも必要である。本発明は、簡単に容器飲み口を開封することができかつ不細工な不要な破断部分の無い良好な開封断面を得ることができ、更に、リップを安定的にかつ衛生的に確保する開封装置およびその包装容器を提供することを目的とする。
【０００４】
【課題を解決するための手段】
この課題を解決するために本発明は、容器飲み口を開封しようとするとき、カバーが、回動に伴って飲み口内に進入し、飲み口を覆うプルタブ及び内側フィルムを破断させるように構成したものである。
これにより、リップを安定的にかつ衛生的に確保し、易しい開封性能、綺麗な飲み口断面が得られる。
【０００５】
【発明の実施の形態】
本発明の請求項１に記載の発明は、プルタブで覆われかつ内側フィルムで保護された飲み口を頂壁に有する飲料容器用の開封装置であって、
該容器の開封時に、該頂壁の外縁と該飲み口の一縁との間に設けられるリップを有し、
該飲み口の縁を部分的若しくは全体的に囲むように該頂壁に固定される固定部と
ヒンジと、
該ヒンジを中心にして前記固定部に対して回動自在に配設され、貫通口が形成されたカバーと、
（この発明の好ましい態様においては、該カバーと前記固定部とが開封後に固定するように双方に嵌合部が設けられ）、
からなり、該カバーは、該容器の開封時に、回動に伴って該飲み口内に進入し、該飲み口を覆うプルタブ及び該内側フィルムを破断させるカッタ部を備えることを特徴とする開封装置である。
【０００６】
請求項２に記載の発明は、プルタブで覆われかつ内側フィルムで保護された飲み口及び開封装置を頂壁に有する飲料容器であって、
該開封装置が、該容器の開封時に、該頂壁の外縁と該飲み口の一縁との間に設けられるリップを有し、
該飲み口の縁を部分的若しくは全体的に囲むように該頂壁に固定される固定部と
ヒンジと、
該ヒンジを中心にして前記固定部に対して回動自在に配設され、貫通口が形成されたカバーと、
からなり、該カバーは、該容器の開封時に、回動に伴って該飲み口内に進入し、該飲み口を覆うプルタブ及び該内側フィルムを破断させるカッタ部を備えることを特徴とする包装容器である。
この発明による容器の好ましい態様において、該カバーと前記固定部とが開封後に固定するように双方に嵌合部が設けられる。
【０００７】
上記構成を有するこの発明は以下の作用を有する。
頂壁の外縁の近傍に設けられるリップが、消費者が充填飲料を飲む際に、消費者の唇が接触する位置を容易に示して飲用を補助する。飲み口の縁を囲むように頂壁に固定される固定部が、カバーを含む開封装置を容器に固定する。
【０００８】
ヒンジがカバーを固定部に対して回動自在にする。カッタ部が容器の開封時にカバー回動に伴って飲み口内に進入しプルタブ及び内側フィルムを破断する。カバーの貫通口が破断したプルタブ及び内側フィルムと共に飲み口を形成する。進入したカッタ部がプルタブ及び内側フィルムの破断部分を縁に押し隠すので、綺麗な開封断面に得ることができるという作用を有する。
以下、本発明の実施の形態について、図１から図３を用いて説明する。
【０００９】
（実施の形態１）
図１は、この発明の一実施の形態である開封装置及びその開封装置を備えた容器一部を示している。図１において、プルタブ１で覆われかつ内側フィルム（図示せず）で保護された飲み口２及び開封装置３を頂壁に有する飲料容器４を示す。
開封装置１は、容器の開封時に頂壁の外縁と飲み口の一縁との間に設けられるようにカバー５の一端にリップ６を有する。
開封装置３には、飲み口２の縁を（前方を除く）部分的に囲むように頂壁に固定される固定部７及びヒンジ８を有する。
ヒンジ８は、それを中心にして固定部に対してカバー５を回動自在にする。カバー５には、貫通口９が形成され、容器の開封時に、回動に伴って飲み口内に進入し、飲み口を覆うプルタブ及び内側フィルムを破断させるカッタ部１１を備える。
この形態による容器では、カバー５と固定部７とが開封後に固定するように双方に嵌合部１０ａ及び１０ｂが設けられる。
【００１０】
この実施の形態において、開封装置３は、カバー５と固定部７とを含めて一体的にプラスチック成形される。
次いで、本発明の開封装置を包装容器に設ける方法の一形態を示す。
この形態において、飲料容器４の頂壁に、飲み口２が形成され、その上をプルタブ１で覆われ、内側からポリエチレンなどの内側フィルムで全面若しくは部分的に積層されている。この形態では、飲み口断面を保護する為に内側からポリエチレンフィルム（層）などがプルタブと積層されている。
開封装置と容器４との接合は、プルタブ外の容器頂壁に開封装置３の固定部７を接合し、カッタ部１１を上にしてカバー５を頂壁上に配置して行う。
【００１１】
次いで、本発明の開封装置で包装容器を開封する方法の一形態を、図２及び図３を参照して示す。
プルタブ１で覆われた飲み口２とその飲み口を開封する開封装置とを頂壁に有する飲料容器４を開封する。その容器の開封時にカバー５を引き上げ、ヒンジ８を中心にして固定部７に対して回動させる。カバー５は、その回動に伴って飲み口２内に進入し、カッタ部１１が、飲み口２を覆うプルタブ１及び内側フィルムを破断させる。
すなわち、飲み口を開口させるために、図３に示す様に、カバー５を矢印方向に回転しプルタブ（図示せず）で覆われた飲み口２に押し込む。この操作により、カッタ部１１によりプルタブは破れ、更に内側フィルム１３も破断される。飲み口に押し込まれたカッタ部１１は破断した内側フィルム１３を飲み口から縁へ押し広げ隠す。
【００１２】
上記形態における容器形状の他、この発明における包装容器は、例えば、ブリック状（平行６面体）の他、６角柱状、８角柱状、四面体形状などがある。
【００１３】
【発明の効果】
以上のように本発明によれば、以下の有利な効果が得られる。
頂壁の外縁の近傍に設けられるリップが、消費者が充填飲料を飲む際に、消費者の唇が接触する位置を容易に示して飲用を助け、補助することができる。
飲み口の縁を囲むように頂壁に固定される固定部が、カバーを含む開封装置を容器に固定して、安定的な開封操作を可能にすることができ、ヒンジがカバーを固定部に対して回動を自在にするので、容易な開封機能を発揮することができる。
【００１４】
カッタ部が容器の開封時にカバー回動に伴って飲み口内に進入しプルタブ及び内側フィルムを確実にかつ簡易に破断することができる。カバーの貫通口が破断したプルタブ及び内側フィルムと共に広く流動容易に飲み口を形成することができ、開封前では、リップ部分を裏返し、流通過程や店頭で露出することを防ぎ衛生的に取り扱うことができる。
進入したカッタ部がプルタブ及び内側フィルムの破断部分を縁に押し隠すので、綺麗な飲み口断面を得ることができる。
嵌合部が設けられる形態による容器では、カバーと固定部とが開封後に固定されるので、安定的な形態で飲用が可能にすることができる。
【図面の簡単な説明】
【図１】本発明の一実施の形態による飲用容器を示す斜視図
【図２】本発明の一実施の形態による容器の開封方法を示す斜視図
【図３】本発明の一実施の形態による容器の開封方法を示す部分的断面図
【図４】従来の容器を示す斜視図
【符号の説明】
１　・・・プルタブ
２　・・・飲み口
３　・・・開封装置
４　・・・容器
５　・・・カバー
６　・・・リップ
７　・・・固定部
８　・・・ヒンジ
１１　・・・カッタ部
【図１】
2004026181.tif 000003
【図２】
2004026181.tif 000004
【図３】
2004026181.tif 000005
【図４】
2004026181.tif 000006